(57)【要約】【課題】クロック信号の周波数を大きく変更することなく、クロック信号の高調波による受信性能への影響を低減することができる無線通信端末および無線通信制御方法を提供する。【解決手段】高調波受信部３０４が、クロック信号の高調波を受信する。周波数情報記憶部３０５が、受信搬送波周波数帯域内の高調波の周波数を示す周波数情報を記憶手段に記憶させる。クロック信号生成部３０３は、基準信号の移相とクロック信号を任意の分周比で分周した移相とを比較して、比較結果に応じた周波数のクロック信号を生成する。制御部３０６は、分周比を制御してクロック信号の周波数を調整する。【選択図】図１２
2010263477.tif 000002
【特許請求の範囲】
【請求項１】
無線通信時にアンテナが受信した受信信号と受信搬送波周波数の局部発振信号とにもとづく受信ベースバンド信号を出力する無線処理部と、
基準周波数の基準信号を生成する基準信号発生部と、
クロック信号を生成するクロック信号生成部と、
前記クロック信号の高調波を検出する高調波検出部と、
受信搬送波周波数帯域内の高調波の周波数を示す周波数情報を生成して記憶手段に記憶させる周波数情報記憶部と、
前記記憶手段に記憶されている前記周波数情報によって示される周波数にもとづいて、前記高調波の周波数を前記受信搬送波周波数に一致させるように、前記クロック信号生成部を制御する制御部と、
前記アンテナが受信した受信信号が前記高調波検出部に入力されない開状態と前記受信信号が前記高調波検出部に入力される閉状態とに遷移するアンテナスイッチとを備え、
前記高調波検出部は、前記アンテナスイッチが前記開状態であるときに前記クロック信号の高調波を検出し、
前記クロック信号生成部は、前記基準信号の位相と、前記クロック信号を任意の分周比で分周した位相とを比較し、その比較結果に応じたクロック周波数のクロック信号を生成するＰＬＬ回路を含み、
前記制御部は、前記分周比を制御して前記クロック信号の周波数を調整する
ことを特徴とする無線通信端末。
【請求項２】
無線通信時にアンテナが受信した受信信号と受信搬送波周波数の局部発振信号とにもとづく受信ベースバンド信号を出力する無線処理部と、
基準周波数の基準信号を生成する基準信号発生部と、
クロック信号を生成するクロック信号生成部と、
前記クロック信号の高調波を検出する高調波検出部と、
受信搬送波周波数帯域内の高調波の周波数を示す周波数情報を生成して記憶手段に記憶させる周波数情報記憶部と、
前記記憶手段に記憶されている前記周波数情報によって示される周波数にもとづいて、前記高調波の周波数を前記受信搬送波周波数に一致させるように、前記クロック信号生成部を制御する制御部とを備え、
前記高調波検出部には、クロック信号の高調波を検出するための検出用端部が設けられ、
前記クロック信号生成部は、前記基準信号の位相と、前記クロック信号を任意の分周比で分周した位相とを比較し、その比較結果に応じたクロック周波数のクロック信号を生成するＰＬＬ回路を含み、
前記制御部は、前記分周比を制御して前記クロック信号の周波数を調整する
ことを特徴とする無線通信端末。
【請求項３】
高調波検出部は、検出信号の検出レベルを測定し、
前記周波数情報記憶部は、
前記高調波検出部が測定した検出レベルが所定のレベル以上である場合に、前記検出信号の周波数を測定する周波数測定部を含み、
前記周波数測定部が測定した周波数を示す周波数情報を記憶手段に記憶させる
請求項１または請求項２記載の無線通信端末。
【請求項４】
制御部は、基準周波数と高調波の次数Ｎ（Ｎは２以上の整数）とで受信搬送波周波数を除算した値を分周比として設定する
請求項１から請求項３のうちいずれか１項記載の無線通信端末。
【請求項５】
無線処理部は、基準信号の基準周波数をＰ（Ｐは２以上の整数）だけ逓倍することにより局部発振信号を生成する局部発振回路を含み、
制御部は、高調波の次数Ｎ（Ｎは２以上の整数）で前記Ｐを除算した値を分周比として設定する
請求項１から請求項３のうちいずれか１項記載の無線通信端末。
【請求項６】
クロック信号を生成するクロック信号生成ステップと、
前記クロック信号の高調波を検出する高調波検出ステップと、
受信搬送波周波数帯域内の高調波の周波数を示す周波数情報を生成して記憶手段に記憶させる周波数情報記憶ステップと、
前記記憶手段に記憶されている前記周波数情報によって示される周波数にもとづいて、前記高調波の周波数を受信搬送波周波数に一致させるように、前記クロック信号の生成を制御する制御ステップと、
無線通信時にアンテナが受信した受信信号と受信搬送波周波数の局部発振信号とにもとづく受信ベースバンド信号を出力する無線処理ステップと、
基準周波数の基準信号を生成する基準信号発生ステップとを含み、
前記高調波検出ステップで、前記アンテナが受信した受信信号が入力されない状態で前記クロック信号の高調波を検出し、
前記クロック信号生成ステップで、前記基準信号の位相と、前記クロック信号を任意の分周比で分周した位相とを比較し、その比較結果に応じたクロック周波数のクロック信号を生成し、
前記制御ステップで、前記分周比を制御して前記クロック信号の周波数を調整する
ことを特徴とする無線通信制御方法。
【請求項７】
クロック信号を生成するクロック信号生成ステップと、
前記クロック信号の高調波を検出する高調波検出ステップと、
受信搬送波周波数帯域内の高調波の周波数を示す周波数情報を生成して記憶手段に記憶させる周波数情報記憶ステップと、
前記記憶手段に記憶されている前記周波数情報によって示される周波数にもとづいて、前記高調波の周波数を受信搬送波周波数に一致させるように、前記クロック信号の生成を制御する制御ステップと、
無線通信時にアンテナが受信した受信信号と受信搬送波周波数の局部発振信号とにもとづく受信ベースバンド信号を出力する無線処理ステップと、
基準周波数の基準信号を生成する基準信号発生ステップとを含み、
前記高調波検出ステップで、前記クロック信号の高調波を検出するための検出用端部で前記クロック信号の高調波を検出し、
前記クロック信号生成ステップで、前記基準信号の位相と、前記クロック信号を任意の分周比で分周した位相とを比較し、その比較結果に応じたクロック周波数のクロック信号を生成し、
前記制御ステップで、前記分周比を制御して前記クロック信号の周波数を調整する
ことを特徴とする無線通信制御方法。
【請求項８】
高調波検出ステップで、検出信号の検出レベルを測定し、
前記周波数情報記憶ステップで、前記高調波検出ステップで測定した検出レベルが所定のレベル以上である場合に、前記検出信号の周波数を測定し、測定した周波数を示す周波数情報を記憶手段に記憶させる
請求項６または請求項７記載の無線通信制御方法。
【発明の詳細な説明】
【技術分野】
【０００１】
本発明は、クロック信号の高調波による受信性能への影響を低減する無線通信端末および無線通信制御方法に関する。
【背景技術】
【０００２】
携帯電話端末などの無線通信端末では、基本的な無線通信機能に加えて、撮影機能や地上デジタルテレビジョン放送受信機能など、各種の付加機能を実現するための付加部品が搭載されている。これら付加部品は、それぞれ個別の周波数のクロック信号が用いられて動作しているので、これらクロック信号の高調波が無線通信で用いられる受信信号の希望波周波数帯域に含まれる場合、受信感度が低下等して、受信特性が劣化する。
【０００３】
このようなクロック信号の高調波による受信特性への影響を抑制する技術として、これらクロック信号の高調波が無線通信で用いられる受信信号の受信搬送波周波数に一致する場合に、その高調波の周波数が受信搬送波周波数に一致しないように、ＰＬＬ回路によりクロック信号の周波数を調整する技術が提案されている（例えば、特許文献１，２など参照）。
【先行技術文献】
【特許文献】
【０００４】
【特許文献１】特開２００４−１７９８６１号公報
【特許文献２】特開２００６−２４６３０１号公報
【発明の概要】
【発明が解決しようとする課題】
【０００５】
無線通信においてデジタル変調方式を用いた場合、受信信号の周波数は、受信搬送波周波数を中心とした希望波周波数帯域に含まれている。従って、前述した関連技術を用いて、クロック信号の高調波による受信特性への影響を抑制するためには、クロック信号の高調波が受信信号の希望波周波数帯域内に含まれないようにする必要がある。
【０００６】
この際、前述した関連技術によれば、ＰＬＬ回路の分周比を予め設定されている固定値へ切り替えてクロック信号の周波数を変更することにより、高調波周波数を受信信号の希望波周波数帯域から除外している。このため、受信信号の希望波周波数帯域が広い場合には、分周比を余裕を持たせて設定し、クロック信号の周波数調整幅を広くする必要がある。
【０００７】
しかし、クロック信号の周波数調整幅が広い場合、ＰＬＬ回路の分周比を変更した後、クロック信号が所望の周波数に変化するまでに要するロック時間が長くなるため、希望波周波数帯域内からクロック信号の高調波が除外されるまでに要する時間が長くなり、その間に受信信号に対して影響が表れて、通信開始時に受信信号が不安定になる場合がある。
【０００８】
また、ロック時間を短くするためには、ＰＬＬ回路内で用いられるループフィルタの遮断周波数を高くする必要があり、結果としてＰＬＬ回路内で用いる位相比較周波数成分のスプリアスによる受信信号への影響が大きくなる。
【０００９】
本発明は、このような課題を解決するためのものであり、クロック信号の周波数を大きく変更することなく、クロック信号の高調波による受信性能への影響を低減する無線通信端末および無線通信制御方法を提供することを目的とする。
【課題を解決するための手段】
【００１０】
本発明による無線通信端末は、無線通信時にアンテナが受信した受信信号と受信搬送波周波数の局部発振信号とにもとづく受信ベースバンド信号を出力する無線処理部と、基準周波数の基準信号を生成する基準信号発生部と、クロック信号を生成するクロック信号生成部と、クロック信号の高調波を検出する高調波検出部と、受信搬送波周波数帯域内の高調波の周波数を示す周波数情報を生成して記憶手段に記憶させる周波数情報記憶部と、記憶手段に記憶されている周波数情報によって示される周波数にもとづいて、高調波の周波数を受信搬送波周波数に一致させるように、クロック信号生成部を制御する制御部と、アンテナが受信した受信信号が高調波検出部に入力されない開状態と受信信号が高調波検出部に入力される閉状態とに遷移するアンテナスイッチとを備え、高調波検出部は、アンテナスイッチが開状態であるときにクロック信号の高調波を検出し、クロック信号生成部は、基準信号の位相と、クロック信号を任意の分周比で分周した位相とを比較し、その比較結果に応じたクロック周波数のクロック信号を生成するＰＬＬ回路を含み、制御部は、分周比を制御してクロック信号の周波数を調整することを特徴とする。
【００１１】
また、本発明による他の態様の無線通信端末は、無線通信時にアンテナが受信した受信信号と受信搬送波周波数の局部発振信号とにもとづく受信ベースバンド信号を出力する無線処理部と、基準周波数の基準信号を生成する基準信号発生部と、クロック信号を生成するクロック信号生成部と、クロック信号の高調波を検出する高調波検出部と、受信搬送波周波数帯域内の高調波の周波数を示す周波数情報を生成して記憶手段に記憶させる周波数情報記憶部と、記憶手段に記憶されている周波数情報によって示される周波数にもとづいて、高調波の周波数を受信搬送波周波数に一致させるように、クロック信号生成部を制御する制御部とを備え、高調波検出部には、クロック信号の高調波を検出するための検出用端部が設けられ、クロック信号生成部は、基準信号の位相と、クロック信号を任意の分周比で分周した位相とを比較し、その比較結果に応じたクロック周波数のクロック信号を生成するＰＬＬ回路を含み、制御部は、分周比を制御してクロック信号の周波数を調整することを特徴とする。
【００１２】
本発明による無線通信制御方法は、クロック信号を生成するクロック信号生成ステップと、クロック信号の高調波を検出する高調波検出ステップと、受信搬送波周波数帯域内の高調波の周波数を示す周波数情報を生成して記憶手段に記憶させる周波数情報記憶ステップと、記憶手段に記憶されている周波数情報によって示される周波数にもとづいて、高調波の周波数を受信搬送波周波数に一致させるように、クロック信号の生成を制御する制御ステップと、無線通信時にアンテナが受信した受信信号と受信搬送波周波数の局部発振信号とにもとづく受信ベースバンド信号を出力する無線処理ステップと、基準周波数の基準信号を生成する基準信号発生ステップとを含み、高調波検出ステップで、アンテナが受信した受信信号が入力されない状態でクロック信号の高調波を検出し、クロック信号生成ステップで、基準信号の位相と、クロック信号を任意の分周比で分周した位相とを比較し、その比較結果に応じたクロック周波数のクロック信号を生成し、制御ステップで、分周比を制御してクロック信号の周波数を調整することを特徴とする。
【００１３】
本発明による他の態様の無線通信制御方法は、クロック信号を生成するクロック信号生成ステップと、クロック信号の高調波を検出する高調波検出ステップと、受信搬送波周波数帯域内の高調波の周波数を示す周波数情報を生成して記憶手段に記憶させる周波数情報記憶ステップと、記憶手段に記憶されている周波数情報によって示される周波数にもとづいて、高調波の周波数を受信搬送波周波数に一致させるように、クロック信号の生成を制御する制御ステップと、無線通信時にアンテナが受信した受信信号と受信搬送波周波数の局部発振信号とにもとづく受信ベースバンド信号を出力する無線処理ステップと、基準周波数の基準信号を生成する基準信号発生ステップとを含み、高調波検出ステップで、クロック信号の高調波を検出するための検出用端部でクロック信号の高調波を検出し、クロック信号生成ステップで、基準信号の位相と、クロック信号を任意の分周比で分周した位相とを比較し、その比較結果に応じたクロック周波数のクロック信号を生成し、制御ステップで、分周比を制御してクロック信号の周波数を調整することを特徴とする。
【発明の効果】
【００１４】
本発明によれば、分周比を所定の固定値へ切り替えることにより高調波を希望波周波数帯域から除外する場合と比較して、クロック周波数の調整幅を小さくできる。そして、クロック信号を調整するまでに要するロック時間を短縮し、通信開始時における受信ベースバンド信号への影響を抑制することができる。また、ＰＬＬ回路内で用いる位相比較周波数成分のスプリアスによる受信ベースバンド信号への影響を抑制できる。
【００１５】
また、クロック信号の高調波の受信レベルを実際に測定するように構成されているので、現実の実装状態および使用環境において受信ベースバンド信号に影響する高調波を特定し、受信性能への影響を低減する処理を行うことができる。
【００１６】
そして、クロック信号の高調波周波数を予め記憶手段に記憶させておく場合に比べて、使用する記憶容量を削減することができる。また、実際には受信性能への影響がない高調波に対するクロック周波数の調整を防ぐことができる。
【図面の簡単な説明】
【００１７】
【図１】第１の実施形態の無線通信端末の構成例を示すブロック図である。
【図２】無線処理部の構成例を示すブロック図である。
【図３】クロック信号生成部の構成例を示すブロック図である。
【図４】本発明の第１の実施形態の無線通信端末の周波数情報記憶処理を示すフローチャートである。
【図５】受信レベル測定部が測定した受信レベルを示す説明図である。
【図６】本発明の第１の実施形態の無線通信端末のクロック周波数調整処理を示すフローチャートである。
【図７】クロック周波数調整前における受信信号とクロック信号の高調波との関係を示す説明図である。
【図８】クロック周波数調整後における受信信号とクロック信号の高調波との関係を示す説明図である。
【図９】第２の実施形態の無線通信端末の無線処理部の構成例を示すブロック図である。
【図１０】本発明の第２の実施形態の無線通信端末の周波数情報記憶処理を示すフローチャートである。
【図１１】本発明の第３の実施形態の無線通信端末の構成を示すブロック図である。
【図１２】本発明の概要を示すブロック図である。
【発明を実施するための形態】
【００１８】
実施形態１．
本発明の無線通信端末の第１の実施形態について図面を参照して説明する。図１は、第１の実施形態の無線通信端末１０の構成例を示すブロック図である。
【００１９】
無線通信端末１０は、例えば、携帯電話機やＰＤＡ（Ｐｅｒｓｏｎａｌ  Ｄｉｇｉｔａｌ  Ａｓｓｉｓｔａｎｔ）などの無線通信機能を有する端末装置であって、無線通信機能に加えて、撮影機能や地上デジタルテレビジョン放送受信機能などの付加機能を実現する付加部品が搭載された端末装置である。
【００２０】
無線通信装置１０は、アンテナ１１、無線処理部１２、制御部１３、記憶部１４、基準信号発生部１５、クロック信号生成部１６、および機能部１７を含む。
【００２１】
無線処理部１２は、制御部１３の制御に従って電波を送受信することにより無線通信を行う機能を有しており、特に受信処理機能として、無線通信時に受信した受信信号と受信搬送波周波数Ｆｒｘの局部発振信号とにもとづく受信ベースバンド信号を出力する機能を有している。
【００２２】
図２は、無線処理部１２の構成例を示すブロック図である。図２に示すように、無線処理部１２は、受信部１２１、送信部１２２、アンテナスイッチ１２３、受信レベル測定部１２４、判定部１２５、および周波数測定部１２６を含む。なお、高調波検出部は、受信レベル測定部１２４によって実現される。また、周波数情報記憶部は、判定部１２５および周波数測定部１２６によって実現される。
【００２３】
受信部１２１は、受信処理機能を実現する。送信部１２２は、アンテナ１１を介して電波を送信する送信処理機能を実現する。アンテナスイッチ１２３は、制御部１３の制御にしたがって、アンテナ１１が受信した電波を受信部１２１に入力する閉状態（図２に示されている状態）と当該電波を受信部１２１に入力しない開状態とに相互に遷移する。受信レベル測定部１２４は、開状態で入力された電波の強度（受信レベル）を測定する。判定部１２５は、受信レベル測定部１２４が測定した受信レベルが所定のレベル（例えば、−１００ｄＢｍ）以上であるか否かを判定する。周波数測定部１２６は、判定部１２５が所定のレベル以上であると判定した場合に当該所定のレベル以上の電波の周波数を測定し、測定した周波数を示す周波数情報を生成する。
【００２４】
図２に示す受信部１２１では、携帯電話端末で用いられる位相変調方式（ＰＳＫ：Ｐｈａｓｅ−ｓｈｉｆｔ  ｋｅｙｉｎｇ）の受信処理機能が例示されているが、本発明の無線処理部１２は、位相変調方式に限定されるものではなく他の位相変調方式が用いられていてもよい。
【００２５】
受信部１２１の動作について説明する。アンテナ１１が受信した受信信号１１Ｒは、乗算器１２Ａ，１２Ｂに入力される。このうち乗算器１２Ａに入力された一方の受信信号１１Ｒは、乗算器１２Ａにおいて、局部発振回路１２Ｃから出力された受信信号１１Ｒの搬送波周波数Ｆｒｘの局部発振信号（ｃｏｓωｒｘｔ）１２Ｓと乗算されて検波されて、ローパスフィルタ（ＬＰＦ）１２Ｅを介して同相系のＩ成分信号１２Ｉになる。
【００２６】
また乗算器１２Ｂに入力された他方の受信信号１１Ｒは、乗算器１２Ｂにおいて局部発振回路１２Ｃの局部発振信号（ｃｏｓωｒｘｔ）１２Ｓを移相器１２Ｄによってπ／２だけ移相された局部発振信号（−ｓｉｎωｒｘｔ）と乗算されて検波され、ローパスフィルタ（ＬＰＦ）１２Ｆを介して直交系のＱ成分信号１２Ｑになる。受信信号生成部１２Ｇは、これらＩ成分信号１２ＩとＱ成分信号１２Ｑとから受信ベースバンド信号１２Ｒを生成し、制御部１３に入力する。
【００２７】
受信レベル測定部１２４は、例えば、ＲＳＳＩ（Ｒｅｃｅｉｖｅ  Ｓｉｇｎａｌ  Ｓｔｒｅｎｇｔｈ  Ｉｎｄｉｃａｔｏｒ：受信信号強度測定器）である。また、周波数測定部１２６は、例えば、周波数カウンタと、当該周波数カウンタが測定した周波数を示す周波数情報を生成して出力するＩＣ（Ｉｎｔｅｇｒａｔｅｄ  Ｃｉｒｃｕｉｔ）とによって実現され、生成した周波数情報を記憶部１４に記憶させる。
【００２８】
図１において、制御部１３は、ＣＰＵとその周辺回路からなり、無線処理部１２を制御することにより無線通信を行う機能と、分周比信号１３Ｓによりクロック信号生成部１６を制御して、クロック信号１６Ｓの高周波１７Ｓの周波数、すなわちクロック周波数Ｆｃｌｋの整数倍の高調波周波数が受信搬送波周波数Ｆｒｘと一致するようクロック周波数Ｆｃｌｋを設定する機能と、アンテナスイッチ１２３を開状態と閉状態とに相互に遷移させる機能とを有している。
【００２９】
記憶部１４は、メモリ回路からなり、制御部１３における処理に用いられる各種処理情報やプログラムを記憶する機能を有している。そして、記憶部１４は、無線通信で使用される受信チャネルごとにその受信信号の受信搬送波周波数を示す情報と希望波周波数帯域ＢＷを示す情報とを記憶している。
【００３０】
また、記憶部１４には、周波数測定部１２６が生成した周波数情報が記憶される。
【００３１】
基準信号発生部１５は、発振回路からなり、一定の基準周波数Ｆｓで基準信号１５Ｓを発生させる機能を有している。
【００３２】
クロック信号生成部１６は、ＰＬＬ回路や分周回路からなり、入力された基準信号１５Ｓにもとづいて、任意のクロック周波数Ｆｃｌｋのクロック信号１６Ｓを生成する機能を有している。
【００３３】
図３は、クロック信号生成部１６の構成例を示すブロック図である。図３に示す例では、クロック信号生成部１６は、ＰＬＬ回路１６Ａと分周回路１６Ｅとから構成されている。ＰＬＬ回路１６Ａは、入力された基準信号１５Ｓの位相と分周回路１６Ｅによりクロック信号１６Ｓを所定の分周比で分周して得られた位相とを位相比較器１６Ｂで比較し、その比較結果信号をループフィルタ１６Ｃで安定化し、得られた電圧比に応じたクロック周波数Ｆｃｌｋのクロック信号１６Ｓを電圧制御発振器（ＶＣＯ）１６Ｄで生成する。分周回路１６Ｅは、制御部１３からの分周比信号１３Ｓに応じた分周比で、クロック信号１６Ｓを分周して位相比較器１６Ｂへフィードバックしている。
【００３４】
図１において、機能部１７は、撮影機能や地上デジタルテレビジョン放送受信機能など、各種の付加機能を実現する回路部であり、機能部１７を構成する各付加部品は、クロック信号生成部１６が生成したクロック信号１６Ｓにもとづいて動作する。なお、制御部１３等を実現するＩＣもクロック信号１６Ｓにもとづいて動作するように構成されていてもよい。
【００３５】
次に、図面を参照して、本発明の第１の実施形態の無線通信端末１０の動作について説明する。図４は、本発明の第１の実施形態の無線通信端末１０の周波数情報記憶処理を示すフローチャートである。
【００３６】
制御部１３は、使用者によって電源オン操作がなされると、アンテナスイッチ１２３を開状態に遷移させる（ステップＳ１０）。
【００３７】
受信レベル測定部１２４は、無線通信で使用される全受信周波数の無入力状態（つまり、アンテナスイッチ１２３が開状態）において受信信号を検出し、検出した受信信号（検出信号）の受信信号レベル（検出レベル）を測定する（ステップＳ１１）。無線通信で使用される全受信周波数とは、例えば、無線通信端末によってＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式の無線通信で使用される希望波周波数帯域ＢＷ（８００ＭＨｚ帯や１．７ＧＨｚ帯、２ＧＨｚ帯）内の各周波数である。
【００３８】
なお、受信レベル測定部１２４は、記憶部１４に記憶されている希望波周波数帯域ＢＷを示す情報を読み出して、当該情報によって示される希望波周波数帯域ＢＷ内の各周波数について、受信信号レベルを測定する。
【００３９】
判定部１２５は、受信レベル測定部１２４が測定した受信レベルが所定のレベル以上であるか否かを判定する（ステップＳ１２）。
【００４０】
図５は、受信レベル測定部１２４が測定した受信レベルを示す説明図である。図５に示す例では、ある希望波周波数帯域ＢＷ内に複数の高調波（Ｎ×Ｆｃｌｋ，（Ｎ＋１）×Ｆｃｌｋ，（Ｎ＋２）×Ｆｃｌｋ）が含まれている。そして、Ｎ×Ｆｃｌｋの周波数の高調波の受信レベルおよび（Ｎ＋２）×Ｆｃｌｋの周波数の高調波の受信レベルは所定のレベル（Ｌｖｌ＿ｎｏ）以上であり、（Ｎ＋１）×Ｆｃｌｋの周波数の受信レベルは所定のレベル未満である。
【００４１】
周波数測定部１２６は、判定部１２５が所定のレベル以上であると判定した場合に（ステップＳ１２のＹ）、当該所定のレベル以上の電波の周波数を測定し（ステップＳ１３）、当該周波数を示す周波数情報を生成して、記憶部１４に記憶させる（ステップＳ１４）。
【００４２】
制御部１３は、無線通信で使用される全受信周波数について受信レベル測定部１２４による受信信号レベルの測定が終了した場合に（ステップＳ１５のＹ）、制御部１３は、使アンテナスイッチ１２３を閉状態に遷移させ（ステップＳ１６）、処理を終了する。未測定の周波数がある場合に（ステップＳ１５のＮ）、ステップＳ１１の処理に移行して、未測定の周波数の受信信号レベルを測定する（ステップＳ１１）。
【００４３】
なお、受信レベル測定部１２４は、受信性能に影響を与える周波数帯域（例えば、希望波周波数帯域ＢＷ）において受信レベルを測定する周波数を変化（スイープ）させ、受信レベルが所定のレベル以上であった場合に、そのときの測定周波数を示す周波数情報を記憶部１４に記憶させるように構成されていてもよい。
【００４４】
図６は、本発明の第１の実施形態の無線通信端末のクロック周波数調整処理を示すフローチャートである。
【００４５】
無線通信端末１０の制御部１３は、新たな無線通信を行う際に、図６に示すクロック周波数調整処理を実行する。
【００４６】
制御部１３は、まず、当該無線通信の受信チャネルで用いる受信搬送波周波数Ｆｒｘおよび希望波周波数帯域ＢＷを記憶部１４から読み出すとともに（ステップＳ１００）、周波数情報を記憶部１４から読み出し（ステップＳ１０１）、周波数情報によって示される周波数と希望波周波数帯域ＢＷとを比較する（ステップＳ１０２）。
【００４７】
ここで、周波数情報によって示される周波数のいずれもが希望波周波数帯域ＢＷ内に存在しない場合には（ステップＳ１０３のＮ）、受信信号に対する周波数情報によって示される周波数（例えば、高調波周波数Ｎ×Ｆｃｌｋ）の電波の影響がなくクロック周波数調整が不要であることから、一連のクロック周波数調整処理を終了する。なお、前述したステップＳ１１の処理で、希望波周波数帯域ＢＷ内についてのみ受信レベルが測定されているので、ステップＳ１０２，Ｓ１０３の処理は実行されなくてもよい。
【００４８】
周波数情報によって示される周波数のいずれか（例えば、高調波周波数Ｎ×Ｆｃｌｋ）が希望波周波数帯域ＢＷ内に存在する場合（ステップＳ１０３のＹ）、制御部１３は、希望波周波数帯域ＢＷ内に存在する高調波周波数Ｎ×Ｆｃｌｋと受信搬送波周波数Ｆｒｘとを比較する（ステップＳ１０４）。
【００４９】
ここで、当該高調波周波数Ｎ×Ｆｃｌｋが受信搬送波周波数Ｆｒｘと一致する場合には（ステップＳ１０５のＮ）、受信ベースバンド信号に対する高調波周波数Ｎ×Ｆｃｌｋの影響がなくクロック周波数調整が不要であることから、一連のクロック周波数調整処理を終了する。
【００５０】
一方、当該高調波周波数Ｎ×Ｆｃｌｋが受信搬送波周波数Ｆｒｘと一致しない場合（ステップＳ１０５のＹ）、制御部１３は、クロック信号１６Ｓの高周波１７Ｓの高調波周波数を、受信搬送波周波数Ｆｒｘに一致させるための分周比Ｍを算出する（ステップＳ１０６）。この場合、Ｆｃｌｋ＝Ｍ×Ｆｓであり、Ｆｒｘ＝Ｎ×Ｆｃｌｋであるから、Ｍ＝Ｆｒｘ／（Ｎ×Ｆｓ）で求められる。
【００５１】
なお、記憶部１４には、例えば、搭載される各付加部品のクロック周波数をそれぞれ示す情報が予め記憶され、それらクロック周波数を示す情報と、周波数情報によって示される周波数とにもとづいて、高調波の次数Ｎが特定されるように構成されている。
【００５２】
制御部１３は、このようにして分周比Ｍを求め、この分周比Ｍを示す分周比信号１３Ｓをクロック信号生成部１６に出力し（ステップＳ１０７）、一連のクロック周波数調整処理を終了する。
【００５３】
これにより、クロック信号生成部１６からは、入力された基準信号１５Ｓを逓倍した周波数Ｍ×Ｆｓのクロック信号１６Ｓが出力される。このため、クロック信号１６Ｓの高調波周波数が受信搬送波周波数Ｆｒｘと一致することになる。
【００５４】
したがって、無線処理部１２で受信搬送波周波数Ｆｒｘの信号成分が除去されると同様にして、クロック信号１６Ｓの高調波が無線処理部１２で除去されるため、クロック信号１６Ｓの高調波による受信ベースバンド信号に対する影響を抑制することが可能になる。
【００５５】
図７は、クロック周波数調整前における受信信号とクロック信号の高調波との関係を示す説明図であり、図７（ａ）は周波数帯域図、図７（ｂ）は周波数スペクトル図である。
【００５６】
図８は、クロック周波数調整後における受信信号とクロック信号の高調波との関係を示す説明図であり、図８（ａ）は周波数帯域図、図８（ｂ）は周波数スペクトル図である。
【００５７】
図７に示すように、クロック周波数調整前では、クロック信号１６Ｓの高調波として、クロック信号の高調波ＳＰ１、ＳＰ２が現れており、このうち周波数Ｆｓｐ１＝Ｎ×Ｆｃｌｋの高調波ＳＰ１が、受信搬送周波数Ｆｒｘを中心とする受信希望波周波数帯域ＢＷ内に存在し、周波数Ｆｓｐ２の高調波ＳＰ２は受信希望波周波数帯域ＢＷ外に存在している。
【００５８】
このような状況において、受信信号から得られた受信ベースバンド信号の周波数Ｆｂの近くに、高調波ＳＰｑに起因したスペクトルとして、周波数Ｆｂｓｐ１のスペクトルＳＰ１ｂが発生する。従って、このスペクトルＳＰ１ｂが、受信ベースバンド信号のエラー発生の原因となる。
【００５９】
これに対して図８に示すように、クロック周波数調整後においては、クロック信号の高調波ＳＰ１の周波数が受信搬送波周波数Ｆｒｘと一致しているため、高調波ＳＰ１が受信搬送波成分と同様に除去され、受信ベースバンド信号の周波数Ｆｂの近くに周波数Ｆｂｓｐ１のスペクトルＳＰ１ｂは発生していない。従って、高調波ＳＰ１による受信ベースバンド信号への影響が抑制される。
【００６０】
以上に述べたように、本実施形態によれば、制御部により、受信ベースバンド信号に影響を与えるクロック信号の高調波の周波数が、受信搬送波周波数と一致するように、ＰＬＬ回路の分周比を制御してクロック周波数を調整しているので、分周比を所定の固定値へ切り替えることにより高調波を希望波周波数帯域から除外する場合と比較して、クロック周波数の調整幅を小さくできる。
【００６１】
このため、クロック周波数調整用のＰＬＬ回路によりクロック信号の周波数を受信搬送波周波数に調整するまでに要するロック時間が短くて済み、通信開始時における受信ベースバンド信号への影響を抑制することができる。また、ＰＬＬ回路のロック時間を短くするために、ＰＬＬ回路内で用いるループフィルタの遮断周波数を高くする必要がなくなり、結果としてＰＬＬ回路内で用いる位相比較周波数成分のスプリアスによる受信ベースバンド信号への影響を抑制できる。
【００６２】
また、本実施形態では、制御部で、基準周波数と高調波の次数Ｎ（Ｎは２以上の整数）とで受信搬送波周波数を除算した値を分周比として設定するようにしたので、複雑な演算や制御を必要とすることなく、容易にクロック信号の高調波周波数を受信搬送波周波数に一致させることができる。
【００６３】
また、本実施形態では、電源オン操作がなされたときにクロック信号の高調波の受信レベルを実際に測定するように構成されているので、現実の実装状態および使用環境において受信ベースバンド信号に影響する高調波を特定し、受信性能への影響を低減することができる。
【００６４】
また、クロック信号の高調波周波数を予め記憶部１４に記憶させておく場合に比べて、使用する記憶容量を削減することができる。また、実際には受信性能への影響がない高調波に対するクロック周波数の調整を防ぐことができる。
【００６５】
実施形態２．
次に、本発明の無線通信端末の第２の実施形態について図面を参照して説明する。第２の実施形態の無線通信端末２０は、第１の実施形態の無線通信端末１０の無線処理部１２に代えて無線処理部２１を含む。図９は、第２の実施形態の無線通信端末２０の無線処理部２１の構成例を示すブロック図である。
【００６６】
図９に示すように、第２の実施形態の無線通信端末２０は、無線処理部２１が、第１の実施形態の無線処理部１２におけるアンテナスイッチ１２３に代えて、アンテナ１１に接続されていない受信端（検出用端部）２０１を含む。なお、受信端２０１は、例えば、機能部１７から発せられた高調波を受信するために設けられた信号線の端部（例えば、突起状のもの）であり、アンテナ１１には接続されていない。
【００６７】
そして、レベル測定部１２４は、アンテナ１１が受信した受信信号が受信部１２１に入力されている状態（第１の実施形態の閉状態に相当）であっても、受信端２０１が受信した電波の受信レベルを測定する。
【００６８】
次に、図面を参照して、本発明の第２の実施形態の無線通信端末２０の動作について説明する。図１０は、本発明の第２の実施形態の無線通信端末２０の周波数情報記憶処理を示すフローチャートである。
【００６９】
受信レベル測定部１２４は、制御部１３が無線通信で使用される希望波周波数帯域ＢＷを選択すると、当該帯域内において受信端２０１によって受信された電波の受信レベルを測定する（ステップＳ２０）。なお、制御部１３によって選択される希望波周波数帯域ＢＷは、Ｗ−ＣＤＭＡ方式の無線通信で使用される複数の周波数帯域のうち、無線通信端末２０によって今回の無線通信で使用される周波数帯域である。
【００７０】
判定部１２５は、受信レベル測定部１２４が測定した受信レベルが所定のレベル以上であるか否かを判定する（ステップＳ２１）。
【００７１】
周波数測定部１２６は、判定部１２５が所定のレベル以上であると判定した場合に（ステップＳ２１のＹ）、当該所定のレベル以上の電波の周波数を測定し（ステップＳ２２）、当該周波数を示す周波数情報を生成して、記憶部１４に記憶させる（ステップＳ２３）。
【００７２】
制御部１３は、無線通信で使用される全受信周波数について受信レベル測定部１２４による受信信号レベルの測定が終了した場合に（ステップＳ２４のＹ）、処理を終了する。未測定の周波数がある場合に（ステップＳ２４のＮ）、ステップＳ２０の処理に移行して、未測定の周波数の受信信号レベルを測定する（ステップＳ２０）。
【００７３】
なお、受信レベル測定部１２４は、例えば、送信部１２２によって電波が送信されていないタイミングで、受信性能に影響を与える周波数帯域において受信レベルを測定する周波数を変化（スイープ）させ、受信レベルが所定のレベル以上であった場合に、そのときの測定周波数を示す周波数情報を記憶部１４に記憶させるように構成されていてもよい。また、受信部１２１に受信端２０１が接続され、当該受信部１２１が受信レベルを測定する機能を有し、受信端２０１を用いて受信レベルを測定する処理と、アンテナ１１を介して電波を受信する処理とを所定の時間間隔等で切り替えて実行するように構成されていてもよい。
【００７４】
第２の実施形態におけるクロック周波数調整処理は、第１の実施形態で例示した図６に示すクロック周波数調整処理と同様であるので、説明を省略する。
【００７５】
以上に述べたように、本実施形態によれば、無線通信が行われている状態であっても高調波の周波数を測定することができるので、撮影機能等の常には動作していない機能にもとづくクロック信号の高調波を特定し、クロック周波数の調整を行うことができる。
【００７６】
実施形態３．
次に、図１１を参照して、本発明の第３の実施形態の無線通信端末について説明する。図１１は、本発明の第３の実施形態の無線通信端末３０の構成を示すブロック図である。
【００７７】
本実施形態では、基準信号１５ＳにもとづいてＰＬＬ回路でクロック信号を生成する場合におけるクロック周波数調整方法について説明する。
【００７８】
なお、本実施形態では、無線処理部１２における局部発振信号の生成方法と、制御部１３におけるクロック周波数調整方法とが異なるものの、他の構成については第１の実施形態における構成または第２の実施形態における構成と同様であり、詳細な説明を省略する。
【００７９】
本実施形態における無線処理部１２は、前述した図２の局部発振回路１２Ｃとして、前述の図３に示したようなＰＬＬ回路１６Ａと分周回路１６Ｅとを備え、基準信号１５Ｓを入力して図２に示した局部発振信号１２Ｓを生成する。
【００８０】
無線通信端末３０の制御部１３は、新たな無線通信を行う際、前述した図６に示すクロック周波数調整処理を実行する。このクロック周波数調整処理のステップＳ１０６において、クロック信号生成部１６での分周比Ｍを算出する際、制御部１３は、次のようにして分周比Ｍを算出する。
【００８１】
無線通信で用いる受信搬送波周波数をＦｒｘとし、基準信号１５Ｓの基準周波数をＦｓとし、受信搬送波周波数Ｆｒｘに等しい局部発振信号１２とをＰＬＬ回路で生成する際に用いる分周比をＰとした場合に、Ｆｒｘ＝Ｐ×Ｆｓが成立する。
【００８２】
一方、希望波周波数帯域ＢＷ内に存在するクロック信号１６Ｓの高調波の周波数をＦｓｐ＝Ｎ×Ｆｃｌｋとし、クロック信号１６ＳをＰＬＬ回路で生成する際に用いる分周比をＱとした場合、ＦＳＰ＝Ｎ×Ｑ×Ｆｓが成立する。
【００８３】
このため、高調波周波数Ｆｓｐを受信搬送波周波数Ｆｒｘと等しくするための分周比ＱとしてＱ＝Ｐ／Ｎが導出される。
【００８４】
従って、制御部１３は、ステップＳ１０６において、記憶部１４に保存されている分周比ＰとステップＳ１０２で得られた整数Ｎとから、分周比Ｑを容易に求めることが可能になる。
【００８５】
以上に述べたように、本実施形態によれば、制御部で、基準信号から局部発振信号を生成する際の逓倍数Ｐ（Ｐは２以上の整数）を、高調波の次数Ｎ（Ｎは２以上の整数）で除算した値をＰＬＬ回路の分周比として設定するようにしたので、無線処理部で、基準信号の基準周波数をＰだけ逓倍することにより、局部発振信号を生成する場合でも、複雑な演算を必要とすることなく、容易に高調波周波数を受信搬送波周波数に一致させるための分周比Ｑを求めることが可能になる。
【００８６】
次に、本発明の概要について説明する。図１２は、本発明の概要を示すブロック図である。本発明の無線通信端末は、無線処理部３０１と、基準信号発生部３０２と、クロック信号生成部３０３と、高調波検出部３０４と、周波数情報記憶部３０５と、制御部３０６と、アンテナスイッチ３０７とを備える。
【００８７】
無線処理部３０１は、無線通信時にアンテナが受信した受信信号と受信搬送波周波数の局部発振信号とにもとづく受信ベースバンド信号を出力する。
【００８８】
基準信号発生部３０２は、基準周波数の基準信号を生成する。クロック信号生成部３０３は、クロック信号を生成する。高調波検出部３０４は、クロック信号の高調波を受信する。周波数情報記憶部３０５は、受信搬送波周波数帯域（例えば、希望波周波数帯域ＢＷ）内の高調波の周波数を示す周波数情報を生成して記憶手段に記憶させる。
【００８９】
制御部３０６は、記憶手段に記憶されている周波数情報によって示される周波数にもとづいて、高調波の周波数を受信搬送波周波数に一致させるように、クロック信号生成部３０３を制御する。
【００９０】
アンテナスイッチ３０７は、アンテナが受信した受信信号が高調波検出部３０４に入力されない開状態と受信信号が高調波検出部３０４に入力される閉状態とに相互に遷移する。高調波検出部３０４は、アンテナスイッチ３０７に接続され、開状態でクロック信号の高調波を受信する。
【００９１】
クロック信号生成部３０３は、基準信号の位相と、クロック信号を任意の分周比で分周した位相とを比較し、その比較結果に応じたクロック周波数のクロック信号を生成するＰＬＬ回路３０８を含む。
【００９２】
制御部３０６は、分周比を制御してクロック信号の周波数を調整する。
【００９３】
そのような構成によれば、分周比を所定の固定値へ切り替えることにより高調波を希望波周波数帯域から除外する場合と比較して、クロック周波数の調整幅を小さくできる。そして、クロック信号を調整するまでに要するロック時間を短縮し、通信開始時における受信ベースバンド信号への影響を抑制することができる。また、ＰＬＬ回路内で用いる位相比較周波数成分のスプリアスによる受信ベースバンド信号への影響を抑制できる。
【００９４】
また、クロック信号の高調波の受信レベルを実際に測定するように構成されているので、現実の実装状態および使用環境において受信ベースバンド信号に影響する高調波を特定し、受信性能への影響を低減することができる。
【００９５】
そして、クロック信号の高調波周波数を予め記憶部１４に記憶させておく場合に比べて、使用する記憶容量を削減することができる。また、実際には受信性能への影響がない高調波に対するクロック周波数の調整を防ぐことができる。
【００９６】
また、上記の実施形態には、図１２に例示した無線通信端末の構成の一部を転換したものとして、高調波検出部３０４に、クロック信号の高調波を検出するための検出用端部が設けられた構成が開示されている。
【００９７】
そのような構成によれば、無線通信が行われている状態であっても高調波の周波数を測定することができるので、撮影機能等の常には動作していない機能にもとづくクロック信号の高調波を特定し、クロック周波数の調整を行うことができる。
【００９８】
また、上記の実施形態には、高調波検出部３０４が、検出信号の検出レベルを測定し、周波数情報記憶部３０５が、高調波検出部３０４が測定した検出レベルが所定のレベル以上である場合に検出信号の周波数を測定する周波数測定部を含み、当該周波数測定部が測定した周波数を示す周波数情報を記憶手段に記憶させることが開示されている。
【００９９】
そのような構成によれば、所定のレベル以上の高調波（具体的には、例えば、無線通信端末の受信性能に影響を与える高調波（検出信号））の周波数を示す周波数情報を記憶手段に記憶させるので、そのような高調波が存在する場合にクロック周波数の調整が行われ、受信性能への影響を防ぐことができる。
【０１００】
また、上記の実施形態には、制御部３０６が、基準周波数と高調波の次数Ｎ（Ｎは２以上の整数）とで受信搬送波周波数を除算した値を分周比として設定することが開示されている。そのような構成によれば、複雑な演算や制御を必要とすることなく、容易にクロック信号の高調波周波数を受信搬送波周波数に一致させることができる。
【０１０１】
また、上記の実施形態には、無線処理部３０１が、基準信号の基準周波数をＰ（Ｐは２以上の整数）だけ逓倍することにより局部発振信号を生成する局部発振回路を含み、制御部３０６が、高調波の次数Ｎ（Ｎは２以上の整数）でＰを除算した値を分周比として設定することが開示されている。そのような構成によれば、局部発振信号を生成する場合でも、複雑な演算を必要とすることなく、容易に高調波周波数を受信搬送波周波数に一致させるための分周比を求めることが可能になる。
【産業上の利用可能性】
【０１０２】
本発明は、クロック信号を用いる無線通信端末に適用することができる。
【符号の説明】
【０１０３】
１０、２０、３０  無線通信端末
１１  アンテナ
１２  無線処理部
１２Ａ、１２Ｂ  乗算器
１２Ｃ  局部発振回路
１２Ｄ  移相器
１２Ｅ、１２Ｆ  ローパスフィルタ
１２Ｇ  受信信号生成部
１３  制御部
１４  記憶部
１５  基準信号発生部
１６  クロック信号生成部
１６Ａ  ＰＬＬ回路
１６Ｂ  位相比較器
１６Ｃ  ループフィルタ
１６Ｄ  ＶＣＯ
１６Ｅ  分周回路
１７  機能部
１２１  受信部
１２２  送信部
１２３  アンテナスイッチ
１２４  受信レベル測定部
１２５  判定部
１２６  周波数測定部
２０１  受信端
【図１】
2010263477.tif 000003
【図２】
2010263477.tif 000004
【図３】
2010263477.tif 000005
【図４】
2010263477.tif 000006
【図５】
2010263477.tif 000007
【図６】
2010263477.tif 000008
【図７】
2010263477.tif 000009
【図８】
2010263477.tif 000010
【図９】
2010263477.tif 000011
【図１０】
2010263477.tif 000012
【図１１】
2010263477.tif 000013
【図１２】
2010263477.tif 000014